(57)【特許請求の範囲】
【請求項１】
装置本体部、および、該装置本体部が取り付けられる架台を有するスピーカ装置であって、
前記装置本体部は、奥行き寸法が正面の縦または横の寸法よりも小さい薄型であり、内部に左右のスピーカ、オーディオアンプおよび電源回路を備え、さらに、底面にスリット状の開口部が形成され、
前記架台は、床面に設置される底板と、該底板上に立設された支柱と、該支柱上に設けられ前記装置本体部が載置される本体載置部と、を有し、
前記本体載置部は、載置された装置本体部を上向きに支持する板状の水平部、および、前記本体載置部の奥行方向後端に板状に立設され、前記開口部に嵌挿されて前記装置本体部の前後左右方向の移動を規制する垂直部を有する
スピーカ装置。
【請求項２】
前記底板は、前記本体載置部に載置された装置本体部の背面を含む鉛直面との交線付近を境界として、前記支柱の立設部を含む主要部から、前記立設部を含まない尾部を取り外し可能である請求項１に記載のスピーカ装置。
【請求項３】
前記左右のスピーカ、オーディオアンプおよび電源回路は、前記装置本体部の内部で、正面向きの略平面状に配置されており、
前記電源回路および左右のスピーカが、前記装置本体部の内部の下段に配置され、前記オーディオアンプが前記装置本体部の内部の上段に配置され、さらに、
前記装置本体部の内部に、前記左右のスピーカをそれぞれ内包し、そのいずれか一方に前記電源回路を内包する同容積の左右のエンクロージャが形成されている請求項１または請求項２に記載のスピーカ装置。
【発明の詳細な説明】
【技術分野】
【０００１】
ポール状のスタンドで支持される薄型のスピーカ装置に関する。
【背景技術】
【０００２】
スピーカの高さをユーザの聴取位置、すなわち、ユーザの耳の高さに合わせるために、スピーカキャビネットにスタンドに取り付けたスタンド型のスピーカ装置が種々提案されている（たとえば特許文献１など）。特許文献１のスピーカ装置は、スピーカボックスに係止された２枚のスタンド金具で支柱（パイプ）を挟み、このスタンド金具をネジ止めすることによって本体（スピーカボックス）を支柱に固定するものである。
【先行技術文献】
【特許文献】
【０００３】
【特許文献１】特開２００５−１１７４５５号公報
【発明の概要】
【発明が解決しようとする課題】
【０００４】
上記特許文献１の方式では、本体、スタンド金具、支柱をそれぞれ所定の位置に支持しながらネジ止め作業をしなければならないため、取り付けが困難である。また、使用中にも万一ネジが緩めば本体が落下してしまうという問題点がある。
【０００５】
サラウンド用などの小型・軽量なスピーカは、このような取り付け方式でも実用可能であるが、オーディオアンプを内蔵したアクティブスピーカや一体型ステレオスピーカなど重量の大きいスピーカの場合、上記方式では取り付け作業がより困難であるとともに、本体が落下する危険性があった。特に、奥行きの短い薄型のスピーカをスタンド上に取り付ける場合に、安定した作業をすることは困難であった。
【０００６】
この発明は、薄型の本体であってもポール形のスタンドに容易に取り付けが可能なスピーカ装置を提供することを目的とする。
【課題を解決するための手段】
【０００７】
本発明は、装置本体部および該装置本体部が取り付けられる架台を有するスピーカ装置である。前記装置本体部は、奥行き寸法が正面の縦または横の寸法よりも小さい薄型であり、内部に左右のスピーカ、オーディオアンプおよび電源回路を備え、さらに、底面にスリット状の開口部が形成されている。前記架台は、床面に設置される底板と、該底板上に立設された支柱と、該支柱上に設けられ前記装置本体部が載置される本体載置部と、を有し、前記本体載置部は、載置された装置本体部を上向きに支持する板状の水平部、および、前記本体載置部の奥行方向後端に板状に立設され、前記開口部に嵌挿されて前記装置本体部の前後左右方向の移動を規制する垂直部を有することを特徴とする。
【０００８】
本発明では、装置本体部の底面にスロット状の開口部を設けるとともに、架台の本体載置部に、この開口部に挿入される垂直部を設けた。装置本体部を架台に取り付けるとき、装置本体部の開口部に垂直部が挿入されるように降ろしながら装置本体部を水平部に載置する。これにより、支柱で支えられている架台に対して、オーディオアンプや電源回路をを内蔵して重量があり、且つ薄型の装置本体部を取り付ける作業を容易にした。なお、装置本体部を本体載置部に載置したのち、ネジ止めなどで固定すればより良い。
【０００９】
また、本発明において、前記底板を、前記本体載置部に載置された装置本体部の背面を含む鉛直面との交線付近を境界として、前記支柱の立設部を含む主要部から、前記立設部を含まない尾部を取り外し可能にしてもよい。
【００１０】
架台の底板は、装置全体を安定的に支持するために、たとえば円板状など前後左右方向に安定した形状である。本発明における装置本体部は薄型であるため、壁面に密着させて使用すれば省スペースである。この発明では、装置本体部の背面を含む鉛直面で底板の一部である尾部を切り離すことを可能にした。これにより、装置本体部を壁面に密着させて設置することが可能になる。なお、底板の一部を取り外しても、後ろが壁面であるため、倒れることはない。
【００１１】
また、本発明において、前記左右のスピーカ、オーディオアンプおよび電源回路を、前記装置本体部の内部で、正面向きの略平面状に配置し、前記電源回路および左右のスピーカを、前記装置本体部の内部の下段に配置し、前記オーディオアンプが前記装置本体部の内部の上段に配置し、さらに、前記装置本体部の内部に、前記左右のスピーカをそれぞれ内包し、そのいずれか一方に前記電源回路を内包する同容積の左右のエンクロージャを形成してもよい。
【００１２】
装置本体部は、薄型であるため、スピーカ等の構成部品は略平面状に配置するのが好適である。この場合、電源回路は熱源、ノイズ源であるため、熱やノイズを嫌うオーディオアンプなどの電子回路を上段に、電源回路を下段に離して配置する。一方、スピーカ（ウーファ）は、低音を強調するため、ある程度の容積のエンクロージャが必要である。そこで、下段に左右のエンクロージャを形成するが、一方のエンクロージャに電源回路を内包させ、且つ左右非対称になるが同じ容積とする。これで少ないスペースのなかで左右のバランスのとれた音響が実現される。
【発明の効果】
【００１３】
この発明によれば、薄型で重量があっても安定した取り付けが可能なスピーカ装置を提供することが可能になる。
【図面の簡単な説明】
【００１４】
【図１】本発明の実施形態であるスタンド型スピーカの外観斜視図
【図２】スタンド型スピーカの本体の背面図
【図３】本体の底面図および本体とスタンドの接続状態を説明する図
【図４】スタンド型スピーカのスタンドの斜視図
【図５】スタンド型スピーカのスタンドの分解斜視図
【図６】スタンド型スピーカの本体の内部構造図
【発明を実施するための形態】
【００１５】
図面を参照してこの発明の実施形態であるスタンド型スピーカについて説明する。図１は、スタンド型スピーカの外観斜視図である。同図に示すように、スタンド型スピーカは、装置本体部１およびスタンド（架台）２からなっている。この装置本体部１の背面図および底面図を図２および図３（Ａ）に示す。また、スタンド２の斜視図および分解斜視図を図４および図５に示す。また、図３（Ｂ）は装置本体部１およびスタンド２の接続状態を示す図である。
【００１６】
《本体の構造》
装置本体部１は、正面形状が縦横略同寸法の略正方形、且つ、奥行きが正面の一辺の長さよりも十分に短い薄型の形状をなしている。正面には、正面パネル１０がはめ込まれている。正面パネル１０は、中央に液晶のディスプレイ１１を有し、このディスプレイ１１以外の面は、エクスパンドメタルで覆われている。エクスパンドメタルの内側に図６に示すように、左右３対の開口部１１０Ｌ，Ｒ、１１１Ｌ，Ｒ、１１２Ｌ，Ｒが開設されている。各開口部１１０Ｌ，Ｒ、１１１Ｌ，Ｒ、１１２Ｌ，Ｒには、左右のウーファ１００Ｌ，Ｒ、左右のツイータ１０１Ｌ，Ｒおよび左右のバスレフ用ダクト１１２Ｌ，Ｒが接続される。液晶のディスプレイ１１には、時刻や演奏中の曲目などが表示される。
【００１７】
装置本体部１の背面１５は、図２に示すように、正面パネル１０よりも縦横寸法が小さい縦長の長方形をなしている。このため、左側面１４は右後方に向かって形成されており、右側面１３は左後方に向かって形成されている。また、上面１２は、正面パネル１０から背面１５に向けて緩く傾斜している。
【００１８】
装置本体部１の上面１２は操作パネルになっており、各種ボタンスイッチ１２０、光ディスク挿入部１２１、携帯オーディオプレーヤ接続部１２２などが設けられている。ボタンスイッチ１２０は、電源ボタン、再生ボタン、停止ボタンなどからなる。なお、上面を緩く後方に傾斜させているのは、後方に傾斜させることによって、正面から見たときボタンスイッチ１２０等が隠れてすっきりした外観になるようにするため、および、緩やかな傾斜にとどめることによって、ユーザが操作しにくくならないようにするためである。
【００１９】
図２および図３（Ａ）において、装置本体部１の背面１５には、スロット凹部３１、電源端子収容部３２、アンテナ端子収容部３４および溝部３７が形成されている。スロット凹部３１は、背面１５の下端に沿って、左右端部を除くほぼ全体にわたって、形成されている浅い凹部である。この上に背面カバー３０がネジ止めされる。スロット凹部３１の壁面３１０には突起状のスペーサ３１Ａが形成されている。スペーサ３１Ａは、左右端部の上下および中央上端部に形成されている。スペーサ３１Ａは、図４、図５に示すスタンド２のマウント２０の垂直部４１の厚みよりも若干高い高さを有する。このスペーサ３１Ａにより、背面カバー３０が取り付けられたとき、背面カバー３０とスロット凹部３１の壁面３１０との間に垂直部４１が挿入される隙間（スロット３１）が形成され、底面１６に開口する。図３（Ｂ）に示すように、このスロット３１にスタンド２のマウント２０が挿入されることにより、装置本体部１とスタンド２が係止される。
【００２０】
背面１５の下端中央部、すなわちスロット凹部３１の下端中央部に、電源端子収容部３２が形成されている。電源端子収容部３２は、スロット凹部３１よりも深い凹部であり、図示のように、背面１５側に開口しているほか、底面１６側にも開口している。電源端子収容部３２の上面に電源端子３３が設けられている。電源端子３３には電源コードが接続される。
【００２１】
また、背面１５の左部中段にアンテナ端子収容部３４が形成されている。アンテナ端子収容部３４は直方体状の凹部であり、装置本体部１内部に設けられている電子回路基板１０７（図６参照）の下端に接している。電子回路基板１０７には、チューナ、オーディオ回路等が実装されている。アンテナ端子収容部３４の上面には、電子回路基板１０７から引き出されたアンテナ端子３５、外部入力（ＡＵＸ）端子３６が設けられている。アンテナ端子３５には、アンテナケーブルが接続され、外部入力端子３６には、オーディオケーブルが接続される。
【００２２】
上に述べた電源端子収容部３２とアンテナ端子収容部３４との間に溝部３７が形成されている。溝部３７は、電源端子収容部３２の左側面３２Ａから装置本体部１の底面１６に並行に形成され、途中で上向きにカーブして右側面１３に並行に上行してアンテナ端子収容部３４の下面３４Ａに至っている。アンテナ端子３５に接続されたアンテナケーブルは、溝部３７を通って電源端子収容部３２に導かれる。また、外部入力端子３６に接続されたオーディオケーブルも溝部３７を通って電源端子収容部３２に導かれる。これら、アンテナケーブル、オーディオケーブル、および、電源端子３３に接続された電源コードは、後述する開口部４２Ａを介してスタンド２のポール２１の内部に導かれ、このポール２１内部を通って床面に到達し、床を這って電源コンセント、アンテナ端子、外部オーディオ機器等に接続される。これにより、スタンド２の上に設置された装置本体部１に接続されるケーブル類が目立たなくなり、外観をすっきりさせることができる。
【００２３】
《スタンドの構造》
図４および図５において、スタンド２は、マウント（本体載置部）２０、ポール（支柱）２１、および、ベース（底板）２２からなっている。ベース２２は円板状であり、床面に載置されてスタンド２を支持する。ポール２１は中空パイプ状の円柱であり、ベース２２上に立設されている。マウント２０は、ポール２１の上端に取り付けられ、装置本体部１を直接支持する。
【００２４】
円板状のベース２２は、中央にポール２１が嵌通する開口部２２Ａを有している。また、ベース２２は、ベース主部４５およびベース尾部２３からなっている。ベース主部４５は、ベース２２の円板を切り取る切欠き線（弦）６０と、長い方の弧（優弧）で囲まれる半月状であり、開口部２２Ａを含んでいる。ベース尾部２３は、ベース２２の円板のうち切欠き線６０と短い方の弧（劣弧）で囲まれる半月状の部分、および、ベース主部４５への取り付けしろ２３Ａからなっている。
【００２５】
ベース主部４５は、下面に脚４６、溝４７、ベース尾部取付部４８を有している。脚４６は、床面に直接当接する突出部であり、滑りにくい樹脂で形成されている。溝４７は下面側に開口する樋状の凹部であり、開口部２２Ａから円板の周縁までつづいている。ポール２１から引き出されたケーブルが、この溝４７を通って壁面などに導かれる。
【００２６】
ベース尾部取付部４８は、ベース尾部２３と当接する部位であり、ベース尾部２３を固定するネジを受けるネジ穴（不図示）が開設されている。ベース尾部２３は、取り付けしろ２３Ａをベース主部４５のベース尾部取り付け部４８に当接させ、ネジで固定することにより、着脱可能に取り付けられる。
【００２７】
スタンド型スピーカが組み立てられた状態で、ベース主部４５の切欠き線６０は、装置本体部１の背面１５の位置と鉛直線上でほぼ一致する。すなわち、スタンド２（ベース２２）の切欠き線６０側が装置本体部１の背面１５と一致するように、マウント２０、ポール２１およびベース２２は組み立てられる。したがって、このスタンド型スピーカを壁際に設置するとき、ベース尾部２３を取り外し、ベース２２の切欠き線６０を壁に合わせることで、装置本体部１を壁面に沿わせて設置することができる。なお、この場合、装置本体部１の背面１５は壁面にほぼ接しているため、ベース２２の一部が取り外されていても転倒するおそれはない。
【００２８】
スタンド２のポール２１は、中空パイプ状の円柱であり、図４に示すように、下端に長方形のフランジ４９を有している。ポール２１を、ベース２２の開口部２２Ａに下側から嵌通させ、フランジ４６をベース２２下面に当接させてネジ止めすることで、ポール２１がベース２２に固定される。
【００２９】
スタンド２のマウント２０は、ポール２１の上端に取り付けられ、装置本体部１を直接支持する。マウント２０は、Ｌ字形に曲げられたＬ字金具４０、および、中空のマウントパイプ４３を有している。Ｌ字金具４０は、略９０度に屈曲された金属板であり、この屈曲により垂直部４１および水平部４２が形成されている。水平部４２の略中央に円形の開口部４２Ａが形成されており、この開口部４２Ａに合わせてマウントパイプ４３が下向き（垂直部４１と反対側）に設けられている。このマウントパイプ４３が、ポール２１の上端部に挿入され、マウント２０とポール２１が接合される。マウントパイプ４３の側面（背面側）にネジ穴４３Ａが形成されている。また、ポール２１の側面（背面側）にはネジが遊嵌する嵌通穴２１Ａが形成されている。マウントパイプ４３がポール２１の上端部に挿入され、ネジ穴４３Ａと嵌通穴２１Ａの位置が合わされた状態でネジがネジ穴４３Ａに螺合される。これにより、マウント２０がポール２１に固定され、その向きがＬ字金具４０の垂直部４１が背面側になるように固定される。
【００３０】
図３（Ｂ）において、装置本体部１の底面１６に開口しているスロット３１に、スタンド２の垂直部４１が挿入される。装置本体部１の底面１６がスタンド２の水平部４２に当接する位置まで垂直部４１が挿入される。これにより、装置本体部１はマウント２０により、上下方向のみならず前後左右方向にも支持される。この状態で垂直部４１が装置本体部１にネジ固定される。
【００３１】
また、マウント２０の垂直部４１がスロット３１に挿入された状態で、水平部４２の開口部４２Ａが、装置本体部１の電源端子収容部３２に対向する。電源コード、アンテナケーブル、外部入力ケーブルは、電源端子収容部３２から、開口部４２Ａ、ポール２１内部、ベース２２下面の溝部４７を介して引き出される。
【００３２】
《本体内部の構造》
図６は、装置本体部１の前面パネル１０を外した状態を示す図である。同図（Ａ）は、装置本体部１の内部レイアウトを示す図である。同図（Ｂ）は、前面パネル１０の裏面を示す図である。
【００３３】
図６（Ａ）において、装置本体部１の内部では、下段左右に左右チャンネルのウーファ１００Ｌ，Ｒが配置され、中段左右に左右チャンネルのツイータ１０１Ｌ，Ｒが配置されている。上段には、中央部に光ディスクドライブ１０６、右側にチューナやオーディオ回路を含む回路基板１０７が配設されている。また、下段中央、左右のウーファ１００Ｌ，Ｒの間に電源回路１０５が配設されている。電源回路１０５は、ノイズ源、熱源となる回路であるため、光ディスクドライブ１０６、回路基板１０７から離して設けられている。
【００３４】
ウーファ１００Ｌ，Ｒは中低音域を担当するスピーカであり、共鳴によって低音を強調するための空間（エンクロージャ）が必要である。一方、ツイータ１０１Ｌ，Ｒは、高音域を担当するスピーカであり、ウーファ１００Ｌ，Ｒほど空間は重要ではない。
【００３５】
このため、装置本体部１内部の左側に、左のウーファ１００Ｌを囲む左のエンクロージャ１０３Ｌが形成され、装置本体部１内部の右側に、右のウーファ１００Ｒを囲む右のエンクロージャ１０３Ｒが形成されている。右のエンクロージャ１０３Ｒは、前面パネル１０の裏面に形成されたリブ１１３Ａ、１１３Ｃで仕切られた空間であり、電源回路１０５を内部に含んでいる。左のエンクロージャ１０３Ｌは、リブ１１３Ａ，１１３Ｂで仕切られた空間であり、左のツイータ１０１Ｌを内部に含んでいる。電源回路１０５が中央にあるため、左右のエンクロージャ１０３Ｌ，Ｒを対称の形状にできないが、一方（右チャンネル）は、電源回路１０５を含み、他方（左チャンネル）はツイータ１０１Ｌを含めて同じ容積になるように形成されている。
【００３６】
そして、左ウーファ１００Ｌの左側面から底面に沿うようにバスレフ用のダクト１０２Ｌが設けられ、右ウーファ１００Ｒの右側面から底面に沿うようにダクト１０２Ｒが設けられている。左右のダクト１０２Ｌ，Ｒは左右対称の形状である。このように、左右チャンネルともに、同じ容積のエンクロージャ１０３Ｌ，１０３Ｒを有し、同じ形状のバスレフ用ダクト１０２Ｌ，１０２Ｒを有するため、左右チャンネルの音質はバランス良く保たれる。
【００３７】
図６（Ｂ）において、前面パネル１０の左側（図面では右側）のリブ１１３Ａ、１１３Ｂに囲まれた範囲に、上から順に開口部１１１Ｌ、１１０Ｌ、１１２Ｌが形成されている。これら開口部１１１Ｌ、１１０Ｌ、１１２Ｌには、左チャンネルのツイータ１０１Ｌ、左チャンネルのウーファ１００Ｌおよび左チャンネルのダクト１０２Ｌが接続される。また、前面パネル１０の右側（図面では左側）のリブ１１３Ｃよりも上段に開口部１１１Ｒが形成されている。また、リブ１１３Ａ、１１３Ｃに囲まれた範囲に、開口部１１０Ｒ、１１２Ｒが形成されている。これら開口部１１１Ｒ、１１０Ｒ、１１２Ｒには、右チャンネルのツイータ１０１Ｒ、右チャンネルのウーファ１００Ｒおよび右チャンネルのダクト１０２Ｒが接続される。
【００３８】
また、リブ１１３Ｃにより、内部が仕切られてエンクロージャとなる。また、この仕切りにより、電源回路の熱が上に昇らす、電子回路に悪影響を及ぼすことがない。
【００３９】
なお、装置本体部１の正面形状は正方形に限定されない。たとえば長方形などでもよい。また、ベース２２の形状は円板形状に限定されない。たとえば、三角形などであってもよい。
【符号の説明】
【００４０】
１  装置本体部
２  スタンド（架台）
３１  スロット（開口部）
２０  マウント（本体載置部）
２１  ポール（支柱）
２２  ベース（底板）
４５  ベース主部
２３  ベース尾部
４１  垂直部
１００Ｌ，Ｒ  ウーファ
１０３Ｌ，Ｒ  エンクロージャ
１０５  電源回路
【図１】
0005773149.tif 000002
【図２】
0005773149.tif 000003
【図３】
0005773149.tif 000004
【図４】
0005773149.tif 000005
【図５】
0005773149.tif 000006
【図６】
0005773149.tif 000007